(57)【特許請求の範囲】
【請求項１】
基地局と、この基地局から送信される呼び出しを行う端末番号が設定される着呼メッセージにより待ち受け処理を行うことによって前記基地局を介して通信を行う移動体通信端末とを備えた移動体通信システムにおける待ち受け処理方式において、
前記基地局は提供可能な空きスロット数の情報を前記呼び出しを行う端末番号が設定された着呼メッセージに含ませて前記移動体通信端末に送信し、
前記移動体通信端末は待ち受け処理中の前記基地局の呼び出しを行う端末番号が設定される着呼メッセージを受信し当該着呼メッセージに含まれている提供可能な空きスロット数の情報が所望の空きスロット数を満足しているか否かを判断し、満足していない場合にはこの基地局を待ち受け処理を行う基地局から除外して探した新たに待ち受け処理中の基地局の呼び出しを行う端末番号が設定される着呼メッセージを受信して同様の処理を行うことを特徴とする移動体通信システムにおける待ち受け処理方式。
【請求項２】
請求項１に記載の待ち受け処理方式において、前記提供可能な空きスロット数の情報は、バッテリセービング周期で前記移動体通信端末に送信される前記呼び出しを行う端末番号が設定される着呼メッセージに含まれていることを特徴とする移動体通信システムにおける待ち受け処理方式。
【請求項３】
基地局から送信される呼び出しを行う端末番号が設定される着呼メッセージにより待ち受け処理を行うことによって、前記基地局を介して通信を行う移動体通信端末の待ち受け処理方式において、
前記待ち受け処理中の基地局の呼び出しを行う端末番号が設定される着呼メッセージを受信し当該着呼メッセージに含まれている提供可能な空きスロット数の情報が所望する空きスロット数を満足しているか否かを判断をし、満足していない場合にはこの基地局の識別情報を記憶して待ち受け処理を行う基地局から除外して探した新たに待ち受け処理中の基地局の呼び出しを行う端末番号が設定される着呼メッセージを受信して同様の処理を行うことを特徴とする移動体通信端末の待ち受け処理方式。
【請求項４】
請求項３に記載の待ち受け処理方式において、前記移動体端末は、バッテリセービング周期で受信する前記呼び出しを行う端末番号が設定される着呼メッセージにより、前記基地局の提供可能な空きスロット数の情報を受信することを特徴とする移動体通信端末の待ち受け処理方式。
【請求項５】
請求項３に記載の待ち受け処理方式において、前記移動体通信端末は、所望する空きスロット数を満足する基地局が見つからなかった場合には、空きスロットのある基地局を選択して待ち受け処理を行い、この選択した基地局の空きスロット数に合わせたサービスを行うことを特徴とする移動体通信端末の待ち受け処理方式。
【請求項６】
複数の移動体通信端末と接続可能な基地局において、この基地局は呼び出し無しの場合に、提供可能な空きスロット数の情報を、着呼メッセージの呼び出しを行う端末番号が設定される領域に設定して前記移動体通信端末に送信することを特徴とする基地局。
【発明の詳細な説明】
【０００１】
【発明の属する技術分野】
本発明は移動体通信システム、より具体的には移動体通信端末で待ち受け処理を行う基地局の空きスロット情報を把握可能な移動体通信システムの待ち受け処理方式に関する。
【０００２】
【従来の技術】
移動体通信システムとして、１９９５年５月より商用開始されたＰＨＳ（Personal Handy Phone System)は、家庭・事業所・公衆の共用を考慮してシステム設計が行われたデジタルコードレス電話であり、通信のパーソナル化やデータ伝送も含めたマルチメディアの牽引として非常に期待されている。
【０００３】
ＰＨＳは現在では１つのタイムスロットを用いて３２ｋｂｉｔ／ｓの伝送速度により通信を行っているが、将来には２つのタイムスロットを用いて６４ｋｂｉｔ／ｓの伝送速度により通信を行えるようになる。このように、ＰＨＳは他の移動体通信システムと比較して高速データ伝送が可能なため、単に音声通話だけでは無くマルチメディア伝送も含めた通信手段として、今後、多くのユーザ層を獲得するものと思われる。
【０００４】
【発明が解決しようとする課題】
一方、ＰＨＳがこのように２つのタイムスロットを用いて６４ｋｂｉｔ／ｓの伝送速度により通信を行えるようになった場合、６４ｋｂｉｔ／ｓ伝送のサービスを享受するには、ＰＨＳ端末や基地局もこれに対応可能な仕様になっている必要がある。したがって、６４ｋｂｉｔ／ｓを伝送可能なＰＨＳ端末であっても、待ち受け処理を行っている基地局が３２ｋｂｉｔ／ｓの伝送速度の基地局であれば、６４ｋｂｉｔ／ｓの通信を行うことはできない。
【０００５】
このように、例えＰＨＳ端末が６４ｋｂｉｔ／ｓ対応可能でも、ＰＨＳ端末側で基地局の区別を行わなければ、必ずしも６４ｋｂｉｔ／ｓの伝送速度でデータ通信等を行える保証は無い。一方、６４ｋｂｉｔ／ｓ通信対応基地局かどうかの区別は、制御チャネル上で報知されるメッセージ（第２システム情報通知）の内容を解釈すれば可能であるので、この第２システム情報通知を基地局選択時に参照することで優先的に６４ｋｂｉｔ／ｓ通信対応基地局を選択することが可能となる。
【０００６】
しかしながら、呼接続時に６４ｋｂｉｔ／ｓに対応した基地局の待ち受け処理を行っていたとしても、この６４ｋｂｉｔ／ｓ対応基地局の空きスロットが１つしかなかった場合には、端末側は３２ｋｂｉｔ／ｓの伝送速度の基地局と同じ伝送速度のサービスしか享受することができない。したがって、６４ｋｂｉｔ／ｓ通信対応基地局であっても、通話チャネルの空きスロット数が２スロット以上無ければ、３２ｋｂｉｔ／ｓの基地局に接続したのと同じになってしまうという問題があった。
【０００７】
本発明はこのような課題を解決し、移動体通信端末側で基地局の空きスロットの数を確認できるようにすることで、利用者が希望する以上の空きスロットのある基地局と速やかに接続可能とする移動体通信システムにおける待ち受け処理方式を提供することを目的とする。
【０００８】
【課題を解決するための手段】
本発明は上記課題を解決するために、基地局と、この基地局から送信される呼び出しを行う端末番号が設定される着呼メッセージにより待ち受け処理を行うことによって基地局を介して通信を行う移動体通信端末とを備えた移動体通信システムにおける待ち受け処理方式において、基地局は提供可能な空きスロット数の情報を呼び出しを行う端末番号が設定される着呼メッセージに含ませて移動体通信端末に送信する。移動体通信端末は待ち受け処理中の基地局の呼び出しを行う端末番号が設定される着呼メッセージを受信し当該着呼メッセージに含まれている提供可能な空きスロット数の情報が所望の空きスロット数を満足しているか否かを判断し、満足していない場合にはこの基地局を待ち受け処理を行う基地局から除外して探した新たに待ち受け処理中の基地局の呼び出しを行う端末番号が設定される着呼メッセージを受信して同様の処理を行う。
【０００９】
また、本発明によれば、基地局から送信される呼び出しを行う端末番号が設定される着呼メッセージにより待ち受け処理を行うことによって、基地局を介して通信を行う移動体通信端末の待ち受け処理方式において、待ち受け処理中の基地局の呼び出しを行う端末番号が設定される着呼メッセージを受信し当該着呼メッセージに含まれている提供可能な空きスロット数の情報が所望する空きスロット数を満足しているか否かを判断をし、満足していない場合にはこの基地局の識別情報を記憶して待ち受け処理を行う基地局から除外して探した新たに待ち受け処理中の基地局の呼び出しを行う端末番号が設定される着呼メッセージを受信して同様の処理を行う。
【００１０】
さらに、本発明によれば、複数の移動体通信端末と接続可能な基地局において、この基地局は提供可能な空きスロット数の情報を呼び出しを行う端末番号が設定される着呼メッセージに含ませて移動体通信端末に送信する。
【００１１】
【発明の実施の形態】
次に添付図面を参照して本発明による移動体通信システムにおける待ち受け処理方式の実施の形態を詳細に説明する。
図２を参照すると、本発明による移動体通信端末をＰＨＳ端末に適用したときの実施の形態を示す機能ブロック図が示されている。本実施の形態によるＰＨＳ端末１０は、２つのタイムスロットを用いて６４ｋｂｉｔ／ｓベアラ伝送を行うことが可能なＴＤＭＡ方式の携帯通信端末である。なお、本願出願人は、２つのタイムスロットを制御可能なＰＨＳ端末の関連技術として特願平８−３１６４５３を既に出願している。
【００１２】
図２において、アンテナ１２は、基地局から送信された電波を受信して無線部１４ａ，１４ｂに出力するとともに、これら無線部１４ａ，１４ｂから入力した信号を空間中に放射する。無線部１４ａ，１４ｂはそれぞれ、伝送速度が３２ｋｂｉｔ／ｓの１スロットの信号を処理する無線部である。すなわち、これら無線部１４は、アンテナ１２から受信した１スロット分の信号を増幅および周波数変換して通話路制御部１６に出力するとともに、通話路制御部１６からの１スロット分の音声変調信号を増幅および周波数変換してアンテナ１２に出力する。
【００１３】
通話路制御部１６は、２つの３２ｋｂｉｔ／ｓのタイムスロットの通話路パスの切替制御やチャネル・コーデック、音声処理、変復調等の機能を備えている。
【００１４】
具体的には、通話路制御部１６は呼制御部１８の制御にしたがったタイムスロットにより、無線部１４から入力した信号を復調した後に復号化し、増幅した後にスピーカ２０に出力する。また、同様に、マイク２２から入力した信号を増幅し、符号化した後に変調して無線部１４に出力する。
【００１５】
呼制御部１８はプロトコル系の処理を含むＰＨＳ端末１０の全体を制御する制御部である。呼制御部１８はその内部にＲＯＭおよびＲＡＭ等のメモリを備え、ＲＯＭに記憶された呼処理プログラムにしたがって動作する。すなわち、呼制御部１８は、ＬＣＤ表示部２４およびキー操作部２６が接続され、無線部１４を介して基地局から着呼要求を受けると、通話路制御部１６を介してスピーカ２０より着信音を出力するとともに、ＬＣＤ表示部２４に着信表示を行う。
【００１６】
そして、キー操作部２６による応答操作を検出すると、通話路制御部１６を制御して通話路の設定を行う。また、キー操作部２６より電話番号が入力されて発呼操作が行われると、入力された電話番号等をＬＣＤ２４に表示するとともに、無線部１４を制御して待ち受け処理を行っている基地局に対して発呼要求を行う。これにより、被呼者端末が応答すると、無線部１４および通話路制御部１６を制御して通話路の設定を行う。
【００１７】
また、呼制御部１８は無線部１４を介して周辺基地局より制御チャネルを受信し、待ち受け処理を行う基地局を選択する。すなわち、本実施の形態では、呼制御部１８は基地局ＩＤ記憶メモリ２８に接続され、このメモリ２８に待ち受け処理を行う基地局として除外する６４ｋｂｉｔ／ｓベアラ伝送可能な周辺基地局を記憶する。
【００１８】
具体的には、呼制御部１８は、待ち受け中に制御チャネルのモニタリングを行い、基地局から送信された制御チャネル信号の着呼メッセージを参照し、この中の情報要素に含まれている、現在基地局が提供可能な空きスロット情報を確認する。図３は基地局からＰＨＳ端末に向けて送信される着呼メッセージの内容例を示したメッセージフォーマットである。
【００１９】
図３に示すように、着呼メッセージは、１オクテットの５ビット目から７ビット目までに呼出サービス種別が示され、それ以外の１オクテット〜７オクテットまでに呼び出しを行うＰＨＳ端末の電話番号（１３桁）が設定される。このため、１オクテットの５ビット目から７ビット目までの呼出サービス種別が“０００”の「呼出無し」の場合には、それ以外の１オクテット〜７オクテットまでのデータは不要となる。本実施の形態では、基地局は「呼出無し」の場合にＰＨＳ端末の電話番号（１３桁）が設定される領域に空きスロット情報を設定する。
【００２０】
図２に戻って、ＬＣＤ表示部２４は、電話番号やメッセージまたは基地局の受信電界レベル等の各種の表示を行う表示部である。キー操作部２６は、電源キー、被呼者端末の電話番号や文字等を入力する入力キー、または発呼処理や応答処理を行う呼接続キー等の呼制御部１８に対して何らかのアクションを行う各種キーにより構成されている。
【００２１】
図１は、本発明による移動体通信システムにおける待ち受け処理方式の実施の形態を示す処理フローの一例を示したものである。図１および図２を用いて本実施の形態の動作を説明する。なお、図１において、ＰＨＳ端末１０は初めに基地局１に対して待ち受け処理を行っており、バッテリーセービング周期によりこの基地局１より制御チャネル信号１００を受信している。
【００２２】
ＰＨＳ端末１０の呼制御部１８は、基地局１より制御チャネル信号１００を受信すると、図３に示した着呼メッセージ中の呼出サービス種別の内容を確認する。そして、呼制御部１８は、この内容が“０００”の場合、呼び出し無しと判断するとともに、ＰＳ番号（第１数字）〜ＰＳ番号（第１３数字）に設定されている基地局１が提供可能な空きスロット情報を確認する。この場合、空きスロット数が“１”または“０”のため、呼制御部１８はサービスを提供するのに十分な空きスロット数を確保できないと判断し、「空き無し」の空きスロット数判定を行う（１０２）。そして、呼制御部１８はこの基地局１の識別情報を基地局ＩＤ記憶メモリ２８に記憶して（１０４）、待ち受け処理を行う基地局の候補から除外する。
【００２３】
呼制御部１８は、次に、待ち受け処理を行う新たな基地局を探すため、周辺基地局の制御チャネルのモニタ処理を実行する（１０６）。そして、呼制御部１８は、その中から最も受信電界レベルの高い基地局２を待ち受け処理を行う新たな基地局として選択し、この基地局２と制御チャネル確立処理を行う（１０８）。
【００２４】
その後、呼制御部１８は、基地局２より制御チャネル信号１１０を受信し、基地局１の場合と同様に基地局２が提供可能な空きスロット情報を確認する。
【００２５】
この結果、基地局２がＰＨＳ端末１０が必要とする空きスロット数を提供可能であれば、「空き有り」の空きスロット数判定を行い（１１２）、以後、この基地局２に対して待ち受け処理を行う。すなわち、呼制御部１８はバッテリーセービング周期で基地局２より制御チャネル信号１１０を受信し、同様に空きスロット数の判定を行う（１１２）。呼制御部１８は、制御チャネル信号１１０を受信して空きスロット数の判定を行うこの処理１１２を、基地局２の受信電界レベルが所定の値以下になって待ち受け処理を行う基地局が他の基地局に代わった場合でも繰り返し行う。
【００２６】
なお、周辺基地局の中にＰＨＳ端末１０が必要とする空きスロット数を提供できる基地局が無かった場合には、呼制御部１８は、空きスロット数のある最も受信電界レベルの高い基地局に対して待ち受け処理を行う。そして、例えば６４ｋｂｉｔ／ｓでデータ伝送や音声通信を行うのではなく、３２ｋｂｉｔ／ｓの速度でデータ伝送や音声通信を行う。このような場合、呼制御部１８はＬＣＤ表示部に６４ｋｂｉｔ／ｓのサービスを提供できない旨を表示して使用者に通知してもよい。
【００２７】
以上、詳細に説明したように本実施の形態によれば、基地局は現在使用可能な通信スロット数を制御チャネルにより待ち受け状態の移動体通信端末に対して送信する。また、ＰＨＳ端末では、待ち受け中の基地局から制御チャネルにて受信した空きスロット数を確認する。そして、ＰＨＳ端末は、もし待ち受け処理を行っている基地局より所望の空きスロット数を供給できないことを確認した場合には、他の基地局への待ち受けし直すことにより、速やかに希望するタイムスロット数を提供可能な基地局に待ち受け処理を移行することが可能となる。
【００２８】
なお、本実施の形態では本発明を６４ｋｂｉｔ／ｓ対応のＰＨＳ通信システムに適用したが、本発明は特にこのような通信システムに限定されるものでは無く、例えばＴＤＭＡの２スロット以上を使用可能な移動体通信端末を使用可能な通信システムであれば適用可能である。今後、移動体通信システムでは種々のサービスの提供が予想され、その中には本実施の形態ように複数のタイムスロットを使用するサービスも当然考えられる。このようなサービスを提供可能な通信システムに本発明を適用すれば、例えば、基地局に接続後に空きスロット数が不足しているために回線が解放されて利用者にサービスを提供できないということが無くなるとともに、他基地局に接続し直して接続遅延が発生することも防ぐことができる。
【００２９】
【発明の効果】
このように本発明の移動体通信システムにおける待ち受け処理方式によれば、移動体通信端末が複数のタイムスロットを使用するサービスを利用者に提供する場合でも、基地局接続後に初めてサービスの提供ができないことが判るということが無くなり、安定してサービスを使用者は享受することができる。
【図面の簡単な説明】
【図１】本発明による移動体通信システムにおける待ち受け処理方式の実施の形態を示す処理フロー。
【図２】本発明による移動体通信端末をＰＨＳ端末に適用したときの実施の形態を示す機能ブロック図。
【図３】基地局からＰＨＳ端末に向けて送信される着呼メッセージの内容を示したメッセージフォーマット。
【符号の説明】
１０    ＰＨＳ端末
１２    アンテナ
１４ａ，１４ｂ    無線部
１６    通話路制御部
１８    呼制御部
２０    スピーカ
２２    マイク
２４    ＬＣＤ表示部
２６    キー操作部
２８    基地局ＩＤ記憶メモリ
【図１】
0003839582.tif 000002
【図２】
0003839582.tif 000003
【図３】
0003839582.tif 000004